(57)【要約】【課題】ユーザの利便性を向上させることができる電子機器および制御方法を提供すること。【解決手段】電子機器は、外部表示装置に出力する画像情報を画面に表示する表示部と、前記表示部の画面上における接触を検知して入力操作を受け付ける操作受付部と、前記表示部に表示されるポインタの入力操作を受け付ける入力受付部と、前記操作受付部が受け付けた前記入力操作と前記入力受付部が受け付けた前記ポインタの入力操作における前記ポインタの位置とに基づいて、前記表示部および前記外部表示装置の前記画像情報の表示を制御する入出力情報制御部と、を備える。【選択図】図２
2015052911.tif 000002
【特許請求の範囲】
【請求項１】
外部表示装置に出力する画像情報を画面に表示する表示部と、
前記表示部の画面上における接触を検知して入力操作を受け付ける操作受付部と、
前記表示部に表示されるポインタの入力操作を受け付ける入力受付部と、
前記操作受付部が受け付けた前記入力操作と前記入力受付部が受け付けた前記ポインタの入力操作における前記ポインタの位置とに基づいて、前記表示部および前記外部表示装置の前記画像情報の表示を制御する入出力情報制御部と、
を備えることを特徴とする電子機器。
【請求項２】
前記入出力情報制御部は、前記入力受付部が受け付けた前記ポインタの入力操作における前記ポインタの位置を基点として、前記操作受付部が受け付けた前記入力操作に基づいて、前記表示部および前記外部表示装置の前記画像情報の表示を制御すること
を特徴とする請求項１に記載の電子機器。
【請求項３】
前記入出力情報制御部は、前記操作受付部が受け付けた前記入力操作の操作方向と当該入力操作の大きさとに基づいて、前記表示部および前記外部表示装置の前記画像情報の表示を制御すること
を特徴とする請求項１または請求項２に記載の電子機器。
【請求項４】
前記操作受付部が受け付ける前記入力操作は、フリック操作またはスクロール操作の少なくとも一方であること
を特徴とする請求項１から請求項３のいずれか一項に記載の電子機器。
【請求項５】
画像情報を外部表示装置に出力する画像情報を表示部の画面に表示する表示ステップと、
前記表示部に表示されるポインタの入力操作を受け付ける入力受付ステップと、
前記表示部の画面上における接触を検知して入力操作を受け付ける操作受付部が受け付けた前記入力操作と前記入力受付ステップにおいて受け付けた前記ポインタの入力操作における前記ポインタの位置とに基づいて、前記表示部および前記外部表示装置の前記画像情報の表示を制御する入出力情報制御ステップと、
を有することを特徴とする電子機器の制御方法。
【発明の詳細な説明】
【技術分野】
【０００１】
本発明は、電子機器および制御方法に関する。
【背景技術】
【０００２】
外部表示装置などの外部装置をスマートフォンなどのタッチパネルを備えた電子機器に接続し、電子機器の表示部が表示する表示画像の画像情報を外部表示装置に出力して操作する技術が知られている。例えば、非特許文献１に記載の技術は、電子機器に外部装置として外部表示装置および外部入力装置などを接続し、電子機器が出力して当該外部表示装置に表示された出力画像を見ながらユーザが当該外部入力装置において操作することが可能となるものである。
【先行技術文献】
【非特許文献】
【０００３】
【非特許文献１】“スマホの画面をテレビに映せるＨＤＭＩ出力付きのカードリーダーが大幅値下げ”、［ｏｎｌｉｎｅ］、教えて君．ｎｅｔ、［２０１３年８月１６日検索］、インターネット＜ＵＲＬ：ｈｔｔｐ：／／ｗｗｗ．ｏｓｈｉｅｔｅ−ｋｕｎ．ｎｅｔ／ａｒｃｈｉｖｅｓ／２０１３／０４／ｈｄｍｉ＿１．ｈｔｍｌ＞
【発明の概要】
【発明が解決しようとする課題】
【０００４】
しかしながら、ユーザは、電子機器の表示部が表示する表示画像ではなく、外部表示装置が表示する出力画像を見ながら電子機器が備えるタッチパネルから出力画像を操作する場合に、タッチパネルに対する指示体によりタッチされる位置が操作の基点となるため、ユーザが意図する操作を表示画像と出力画像とを交互に見ながらタッチパネルから操作しなければならず、ユーザの利便性が十分でないという問題があった。
【０００５】
本発明は上記の点に鑑みてなされたものであり、ユーザの利便性を向上させることができる電子機器および制御方法を提供することを課題とする。
【課題を解決するための手段】
【０００６】
本発明は上記の課題を解決するためになされたものであり、本発明の第一の態様は、画像情報を外部表示装置に出力する電子機器であって、前記画像情報を画面に表示する表示部と、前記表示部の画面上における接触を検知して入力操作を受け付ける操作受付部と、前記表示部に表示されるポインタの入力操作を受け付ける入力受付部と、前記操作受付部が受け付けた前記入力操作と前記入力受付部が受け付けた前記ポインタの入力操作における前記ポインタの位置とに基づいて、前記表示部および前記外部表示装置の前記画像情報の表示を制御する入出力情報制御部と、を備えることを特徴とする電子機器である。
【０００７】
また、本発明の第二の態様は、画像情報を外部表示装置に出力する電子機器の制御方法であって、前記画像情報を表示部の画面に表示する表示ステップと、前記表示部に表示されるポインタの入力操作を受け付ける入力受付ステップと、前記表示部の画面上における接触を検知して入力操作を受け付ける操作受付部が受け付けた前記入力操作と前記入力受付ステップにおいて受け付けた前記ポインタの入力操作における前記ポインタの位置とに基づいて、前記表示部および前記外部表示装置の前記画像情報の表示を制御する入出力情報制御ステップと、を有することを特徴とする制御方法である。
【発明の効果】
【０００８】
本発明の電子機器および制御方法によれば、ユーザの利便性を向上させることができる。
【図面の簡単な説明】
【０００９】
【図１】本発明の第１の実施形態に係る表示制御システムの構成の一例を示す概略図である。
【図２】本発明の第１の実施形態に係る電子機器の構成の一例を示す概略ブロック図である。
【図３】本発明の第１の実施形態に係る電子機器のハードウェア構成の一例を示す概略ブロック図である。
【図４】本発明の第１の実施形態に係る電子機器における表示制御処理の一例を示すフローチャートである。
【発明を実施するための形態】
【００１０】
（第１の実施形態）
以下、図面を参照しながら本発明の第１の実施形態について詳しく説明する。
図１は、本発明の第１の実施形態に係る表示制御システムＳ１の構成の一例を示す概略図である。
表示制御システムＳ１は、電子機器１と、外部表示装置２と、外部入力装置３と、を含んで構成される。電子機器１は、外部表示装置２および外部入力装置３と有線または無線で接続される。図示する例では、電子機器１は、外部表示装置２および外部入力装置３とそれぞれ有線で接続される。電子機器１は、例えば表示部と操作受付部とから構成されるタッチパネルを備えるスマートフォン、タブレットＰＣ（Ｐｅｒｓｏｎａｌ  Ｃｏｍｐｕｔｅｒ）などの携帯端末機器である。外部表示装置２は、例えば、液晶ディスプレイ、有機ＥＬディスプレイ、プラズマディスプレイなどの表示部を備える表示装置である。なお、外部表示装置２はタッチパネルを備えてもよい。外部入力装置３は、例えば、キーボード、マウスなどの入力装置である。以降の説明では、外部表示装置２および外部入力装置３を外部装置４と総称することもある。
【００１１】
電子機器１は、電子機器１が備える表示部が表示する表示画像の画像情報を外部表示装置２に出力し、当該外部表示装置２が、当該画像情報が表す表示画像を出力画像として表示する。電子機器１は、操作受付部により表示部の画面上における指示体の接触を検知して入力操作を受け付け、当該入力操作、例えば、フリック操作やスクロール操作などのタッチ操作に応じて表示部を制御する。また、電子機器１は、外部装置４を接続時には、外部入力装置３、例えばマウスからポインタの入力操作を受け付け、当該ポインタの位置およびタッチ操作に基づいて、外部表示装置２を制御する。
【００１２】
図示する例では、電子機器１は、外部表示装置２に外部入力装置３から入力されたポインタを含む表示画像の画像情報を出力し、外部表示装置２は、当該画像情報を出力画像として表示する。このとき、ユーザは、外部表示装置２に表示された出力画像を見ながら電子機器１のタッチパネルに対してタッチ操作を行い、電子機器１は、当該タッチ操作とポインタの位置の位置座標とに応じて外部表示装置２を制御する。具体的には、電子機器１は、通常は指示体にタッチされたタッチ位置を基点とし、タッチ操作に応じて表示部を制御するが、外部入力装置３が接続された場合には、タッチ位置を基点とせずに、ポインタを表示して当該ポインタの位置を基点として、タッチ操作に応じて表示部を制御する。
【００１３】
これにより、ユーザは、外部表示装置２に表示画像を出力して電子機器１により当該表示画像に対して操作するときに、電子機器１の表示部に表示された表示画像を見ずに、外部表示装置２に表示された出力画像のみを見て、タッチパネルに対するタッチ操作により意図する操作を行うことができる。
なお、電子機器１は、外部表示装置２に接続時には、電子機器１の表示部に表示画像を表示してもよいし、電子機器１の表示部に表示画像を表示せずに操作受付部によるタッチ操作のみを受け付けてもよい。本実施形態では、電子機器１は、外部装置４を接続した場合であっても、電子機器１の表示部に表示画像を表示する場合について説明する。
【００１４】
図２は、本発明の第１の実施形態に係る電子機器１の構成の一例を示す概略ブロック図である。
電子機器１は、タッチパネル１１と、制御部１２と、画像通信部１３と、ポインタ部１４と、を含んで構成される。タッチパネル１１は、表示部１１１と、操作受付部１１２と、を含んで構成される。制御部１２は、アプリケーション部１２１と、オペレーション部１２２と、を含んで構成される。オペレーション部１２２は、入出力情報制御部１２２１と、通常表示用画像記憶部１２２２と、操作判別部１２２３と、座標変換部１２２４と、入力受付部１２２５と、外部装置用画像記憶部１２２６と、を含んで構成される。
【００１５】
ポインタ部１４は、加速度センサ（図示せず）、地磁気センサ（図示せず）などのモーションセンサを備え、ユーザによる電子機器１の筐体の物理的な上下左右の移動の移動量および移動の方向を検知し、当該移動の移動量および当該移動の方向に応じて、表示部１１１が表示する表示画像上のポインタの移動量およびポインタの移動方向を決定する。ポインタ部１４は、決定したポインタの移動量およびポインタの移動方向を表すポインタ座標を入力受付部１２２５に出力する。
【００１６】
タッチパネル１１は、ＬＣＤ（Ｌｉｑｕｉｄ  Ｃｒｙｓｔａｌ  Ｄｉｓｐｌａｙ：液晶ディスプレイ）などの表示部１１１と、表示部１１１の画面上に設置され、表示部１１１の画面上の接触（タッチ）を検知する操作受付部１１２と、から構成される。タッチパネル１１は、表示部１１１に情報を画像として表示させるとともに、操作受付部１１２によりユーザからの操作入力を受け付ける。表示部１１１は、後述する通常表示用画像記憶部１２２２が記憶する表示画像などの画像情報を読み出して、当該画像情報を表示する。操作受付部１１２は、表示部１１１の画面上における接触を検知してユーザからの入力操作を受け付ける。
【００１７】
アプリケーション部１２１は、電子機器１にインストールされたアプリケーションを制御し、後述する入出力情報制御部１２２１から入力されるタッチ情報に基づいて、タッチ操作の操作種別イベントを判別する。具体的には、アプリケーション部１２１は、タッチ情報に含まれるタッチイベントに基づいて操作種別イベントを判別する。タッチイベントには、例えばタッチダウンイベント、ムーブイベント、タッチアップイベントがある。タッチダウンイベントは、指示体が表示部１１１の画面上にタッチしたことを表し、ムーブイベントは、タッチしている指示体が動いたことを表し、タッチアップイベントは、タッチしていた指示体が表示部１１１の画面上から離れたことを表す。また、タッチイベントには、表示部１１１の画面上において指示体にタッチされた位置の位置座標が含まれる。
【００１８】
操作種別イベントは、フリック操作、スクロール操作などのタッチ操作の種別である。フリック操作は、指示体が表示部１１１の画面上にタッチして、当該指示体を表示部１１１の画面上において素早くスライドする操作を表す。また、スクロール操作は、指示体が表示部１１１の画面上にタッチした状態で当該指示体を表示部１１１の画面上において上下／左右方向に滑らせる操作を表す。
例えば、アプリケーション部１２１は、タッチイベントの時間、ムーブイベントの時間に応じて操作種別イベントを判別する。
【００１９】
そして、アプリケーション部１２１は、判別した操作種別イベントおよびタッチイベントに含まれる位置座標に基づいて、表示部１１１に表示させる表示画像および外部表示装置２に出力する出力画像を生成する。具体的には、アプリケーション部１２１は、直前のタッチイベントおよび当該タッチイベントの位置座標と、現在のタッチイベントおよび当該タッチイベントの位置座標とから直前の位置座標と現在の位置座標との差分を算出する。アプリケーション部１２１は、算出した差分からタッチ操作の大きさ（移動量）と当該タッチ操作の方向を算出する。アプリケーション部１２１は、算出したタッチ操作の大きさおよびタッチ操作の方向に基づいて、表示画像および出力画像を生成する。アプリケーション部１２１は、生成した表示画像および出力画像を表す画像情報を入出力情報制御部１２２１に出力する。
【００２０】
入出力情報制御部１２２１は、入力受付部１２２５からポインタ座標が入力されると、当該ポインタ座標を、ポインタ情報として座標変換部１２２４に出力する。
また、入出力情報制御部１２２１は、後述する座標変換部１２２４から入力された座標情報を、タッチ情報としてアプリケーション部１２１に出力する。
また、入出力情報制御部１２２１は、アプリケーション部１２１から入力された表示画像を表す画像情報を、通常表示用画像記憶部１２２２に記憶させる。入出力情報制御部１２２１は、アプリケーション部１２１から入力された出力画像を表す画像情報を、外部装置用画像記憶部１２２６に記憶させる。
【００２１】
操作判別部１２２３は、操作受付部１１２から入力された指示体によりタッチされた位置の位置座標（タッチ位置の位置座標）に基づいて、タッチイベントを判別する。操作判別部１２２３は、判別したタッチイベントを表すイベント情報を座標変換部１２２４に出力する。なお、当該タッチイベントには、タイムスタンプを表す情報、例えば、指示体によりタッチされた時刻を表すタイムスタンプが含まれる。
【００２２】
座標変換部１２２４は、操作判別部１２２３から入力されたイベント情報と入出力情報制御部１２２１から入力されたポインタ情報とに基づいて、イベント情報に含まれるタッチ位置の位置座標を、ポインタ情報に含まれるポインタの位置の位置座標に変換する。具体的には、座標変換部１２２４は、ポインタ情報に含まれるポインタの位置の位置座標を基点とし、当該基点とタッチ位置の位置座標との座標差分を算出する。座標変換部１２２４は、算出した座標差分をタッチ位置の位置座標に加算して、タッチ位置の位置座標をポインタの位置の位置座標に変換する。座標変換部１２２４は、変換した位置座標とイベント情報に含まれるタッチイベントとを、座標情報としてアプリケーション部１２１に出力する。
【００２３】
入力受付部１２２５は、ポインタ部１４または後述する外部入力装置３、例えばマウスのいずれか一方からポインタ座標が入力されると、当該ポインタ座標を、ポインタ情報として入出力情報制御部１２２１に出力する。また、入力受付部１２２５は、ポインタ部１４および外部入力装置３の両方からポインタ座標が入力された場合には、先に入力されたポインタ座標をポインタ座標として受け付ける。また、入力受付部１２２５は、外部入力装置３からポインタ座標を受け付けたか否かに基づいて、外部入力装置３が電子機器１に接続されているか否かを判定する。
【００２４】
通常表示用画像記憶部１２２２は、表示画像を表す画像情報を記憶するバッファメモリであり、表示画像を表す画像情報を記憶する。
外部装置用画像記憶部１２２６は、出力画像を表す画像情報を記憶するバッファメモリであり、出力画像を表す画像情報を記憶する。
画像通信部１３は、外部装置用画像記憶部１２２６から出力画像を表す画像情報を読み出して、当該画像情報を外部表示装置２に出力する。
【００２５】
図３は、本発明の第１の実施形態に係る電子機器１のハードウェア構成の一例を示す概略ブロック図である。
電子機器１は、ＣＰＵ（Ｃｅｎｔｒａｌ  Ｐｒｏｃｅｓｓｉｎｇ  Ｕｎｉｔ：中央演算処理装置）１０１と、記憶媒体１０２と、ドライブ部１０３と、入力部１０４と、出力部１０５と、ＲＯＭ（Ｒｅａｄ  Ｏｎｌｙ  Ｍｅｍｏｒｙ：ロム）１０６と、ＲＡＭ（Ｒａｎｄｏｍ  Ａｃｃｃｅｓｓ  Ｍｅｍｏｒｙ：ラム）１０７と、補助記憶部１０８と、通信部１０９と、を備える。
ＣＰＵ１０１と、ドライブ部１０３と、入力部１０４と、出力部１０５と、ＲＯＭ１０６と、ＲＡＭ１０７と、補助記憶部１０８と、通信部１０９とは、バス（母線）Ｂを介して相互に接続される。
【００２６】
ＣＰＵ１０１は、補助記憶部１０８が記憶するプログラム、ＲＯＭ１０６およびＲＡＭ１０７が記憶する各種データを読み出して実行し、電子機器１を制御する。また、ＣＰＵ１０１は、ドライブ部１０３を介して記憶媒体１０２が記憶する各種データを読み出して、電子機器１を制御する。記憶媒体１０２は、光磁気ディスク、フレキシブルディスク、フラッシュメモリなどの可搬記憶媒体であり、各種データを記憶する。ドライブ部１０３は、光ディスクドライブ、フレキシブルディスクドライブなどの記憶媒体１０２の読み出し装置である。入力部１０４は、マウス、キーボード、操作ボタンなどの入力装置である。出力部１０５は、表示部、スピーカなどの出力装置である。ＲＯＭ１０６、ＲＡＭ１０７は、各種データを一時的に記憶する。補助記憶部１０８は、ハードディスクドライブ、フラッシュメモリなどであり、上述した電子機器１の各機能部を動作させるためのプログラム、各種データを記憶する。通信部１０９は、通信インタフェースを有し、有線または無線により外部装置４と通信を行う。
【００２７】
図４は、本発明の第１の実施形態に係る電子機器１における表示制御処理の一例を示すフローチャートである。
ステップＳＴ１０１において、入力受付部１２２５は、外部入力装置３からポインタ座標を受け付けたか否かに基づいて、外部入力装置３が電子機器１に接続されているか否かを判定する。外部入力装置３が電子機器１に接続されている場合、ステップＳＴ１０２に進む。一方、外部入力装置３が電子機器１に接続されていない場合、ステップＳＴ１０１の処理を繰り返す。すなわち、入力受付部１２２５がポインタ座標を外部入力装置３から受け付けたことをトリガとして、電子機器１は、以降の表示制御を行う。
【００２８】
ステップＳＴ１０２において、操作受付部１１２は、指示体による表示部１１１の画面上に対するタッチを検知し、当該タッチ位置の位置座標および当該指示体によりタッチされた時刻を取得する。
ステップＳＴ１０３において、操作判別部１２２３は、タッチ位置の位置座標および直前のタッチ位置の位置座標に基づいて、タッチダウンイベント、ムーブイベント、タッチアップイベントのいずれであるかを判別する。
【００２９】
ステップＳＴ１０４において、座標変換部１２２４は、操作判別部１２２３から入力されたイベント情報と入出力情報制御部１２２１から入力されたポインタ情報とに基づいて、ポインタ情報に含まれるポインタの位置の位置座標Ｐ１を基点ＢＰとし、当該基点ＢＰとタッチ位置の位置座標Ｐ２との座標差分Ｐ３を算出する。座標変換部１２２４は、算出した座標差分Ｐ３をタッチ位置の位置座標Ｐ２に加算して、タッチ位置の位置座標をポインタの位置の位置座標Ｐ１（＝Ｐ２＋Ｐ３）に変換する。
【００３０】
具体的には、座標変換部１２２４は、ポインタの位置の位置座標Ｐ１（ｘ２，ｙ２）を基点ＢＰとし、当該基点ＢＰとタッチ位置の位置座標Ｐ２（ｘ１，ｙ１）との差分座標をＰ３（（ｘ１−ｘ２），（ｙ１−ｙ２））と算出する。座標変換部１２２４は、算出した座標差分Ｐ３をタッチ位置の位置座標Ｐ２に加算して、タッチ位置の位置座標Ｐ２をポインタの位置の位置座標Ｐ１に、例えば、タッチ位置の位置座標Ｐ２のＸ成分に座標差分Ｐ３のＸ成分を加算し、基点ＢＰのＸ成分の座標をｘ１＋（ｘ１−ｘ２）と算出し、タッチ位置の位置座標Ｐ２のＹ成分に座標差分Ｐ３のＹ成分を加算し、基点ＢＰのＹ成分の座標をｙ１＋（ｙ１−ｙ２）と算出する。そして、座標変換部１２２４は、算出した基点ＢＰのＸ成分およびＹ成分からタッチ位置の位置座標Ｐ２を位置座標（ｘ２，ｙ２）のように変換する。
【００３１】
ステップＳＴ１０５において、アプリケーション部１２１は、座標変換部１２２４により変換された座標の情報を含むタッチ情報に基づいて、表示画像および出力画像の画像情報を生成して、当該出力画像を表す画像情報を、入出力情報制御部１２２１を介して外部装置用画像記憶部１２２６に記憶させる。そして、画像通信部１３は、外部装置用画像記憶部１２２６から出力画像を表す画像情報を読み出し、当該画像情報を外部表示装置２に出力し、ステップＳＴ１０１に戻り、以降の処理を繰り返す。
【００３２】
このように、本実施形態によれば、画像情報を外部表示装置２に出力する電子機器１であって、電子機器１は、画像情報を画面に表示する表示部１１１と、表示部１１１の画面上における接触を検知して入力操作を受け付ける操作受付部１１２と、表示部１１１に表示されるポインタの入力操作を受け付ける入力受付部１２２５と、操作受付部１１２が受け付けた入力操作と入力受付部１２２５が受け付けたポインタの入力操作におけるポインタの位置とに基づいて、表示部１１１および外部表示装置２の画像情報の表示を制御する入出力情報制御部１２２１と、を備える。
【００３３】
これにより、電子機器１は、ポインタの位置をタッチ操作の基点としてタッチ操作に応じて表示部１１１および外部表示装置２の画像情報を制御するため、電子機器１に外部装置４を接続して電子機器１から外部表示装置２を操作する場合であっても、電子機器１が表示する表示画像と外部表示装置２が表示する出力画像とを交互に見ることがなく、電子機器１により操作することができるため、ユーザの利便性を向上させることができる。
【００３４】
（第２の実施形態）
以下、図面を参照しながら本発明の第２の実施形態について詳しく説明する。
本実施形態に係る電子機器１の構成は、第１の実施形態と同様の構成であり、図２を援用して、本実施形態で異なる部分を中心に説明する。
入力受付部１２２５は、Ｂｌｕｅｔｏｏｔｈ（登録商標）により接続された外部入力装置３、例えばマウスからのポインタ座標を受け付け、当該ポインタ座標を入出力情報制御部１２２１に出力する。
【００３５】
画像通信部１３は、外部表示装置２とネットワークを介して通信を行う。画像通信部１３は、データの符号化／復号化、変調／復調、ＡＤ（Ａｎａｌｏｇ  ｔｏ  Ｄｉｇｉｔａｌ；アナログ−デジタル）／ＤＡ（Ｄｉｇｉｔａｌ  ｔｏ  Ａｎａｌｏｇ；デジタル−アナログ）変換、周波数変換、無線波によるデータ信号の送受信などの通信処理を行う。
画像通信部１３は、外部装置用画像記憶部１２２６から出力画像を表す画像情報を読み出し、当該画像情報に対して通信処理を行う。そして、画像通信部１３は、通信処理した画像情報を、ネットワークを介して外部表示装置２に送信する。
【００３６】
このように、本実施形態によれば、画像情報を外部表示装置２に出力する電子機器１であって、電子機器１は、画像情報を画面に表示する表示部１１１と、表示部１１１の画面上における接触を検知して入力操作を受け付ける操作受付部１１２と、表示部１１１に表示されるポインタの入力操作を受け付ける入力受付部１２２５と、操作受付部１１２が受け付けた入力操作と入力受付部１２２５が受け付けたポインタの入力操作におけるポインタの位置とに基づいて、表示部１１１および外部表示装置２の画像情報の表示を制御する入出力情報制御部１２２１と、を備える。
これにより、第１の実施形態と同様の効果を得ることができる。
【００３７】
（第３の実施形態）
以下、図面を参照しながら本発明の第３の実施形態について詳しく説明する。
本実施形態に係る電子機器１の構成は、第１の実施形態と同様の構成であり、図２を援用して、本実施形態で異なる部分を中心に説明する。
ポインタ部１４は、例えば、ポインタの位置を外部表示装置２が備える表示部の中心として決定する。そして、ポインタ部１４ａは、モーションセンサを備え、当該モーションセンサによりユーザによる電子機器１の筐体の物理的な上下左右の移動の移動量および移動の方向を検知し、当該移動の移動量および当該移動の方向に応じて、表示部１１１が表示する表示画像上のポインタの移動量およびポインタの移動方向を決定する。ポインタ部１４ａは、決定したポインタの移動量およびポインタの移動方向を表すポインタ座標を入出力情報制御部１２２１に出力する。
入力受付部１２２５は、ポインタ部１４ａから入力されたポインタ座標を受け付け、当該ポインタ座標を入出力情報制御部１２２１に出力する。また、入力受付部１２２５は、外部表示装置２が接続されていたことを検知し、表示制御を行う。
【００３８】
このように、本実施形態によれば、電子機器１ａは、外部表示装置２に出力する画像情報を画面に表示する表示部１１１と、表示部１１１の画面上における接触を検知して入力操作を受け付ける操作受付部１１２と、表示部１１１に表示されるポインタの入力操作を受け付ける入力受付部１２２５と、操作受付部１１２が受け付けた入力操作と入力受付部１２２５が受け付けたポインタの入力操作におけるポインタの位置とに基づいて、表示部１１１および外部表示装置２の画像情報の表示を制御する入出力情報制御部１２２１と、を備える。これにより、第１の実施形態と同様の効果を得ることができる。
【００３９】
なお、上述した各実施形態において、入力受付部１２２５は、外部入力装置３またはポインタ部１４からポインタ座標の代わりにポインタの移動量を受け付けてもよい。この場合、入出力情報制御部１２２１は、入力受付部１２２５が受け付けたポインタの移動量に基づいて、現在表示しているポインタの位置から、ポインタの移動量分を動かし、アプリケーション部１２１が描画している表示画像または出力画像に当該ポインタの移動量分を動かしたポインタ画像を表示画像または出力画像に重ね合わせて、表示部１１１および外部表示装置２に表示させればよい。
【００４０】
なお、上述した各実施形態において、入力受付部１２２５は、ポインタ部１４および外部入力装置３の両方からポインタ座標が入力された場合には、先に入力されたポインタ座標を受け付けると説明したが、本発明はこれに限定されず、例えば、ポインタ部１４および外部入力装置３の両方から入力されるポインタ座標を受け付けてもよいし、ポインタ部１４および外部入力装置３から入力されたポインタ座標のうち、ポインタの移動量が大きいポインタ座標を受け付けてもよい。
【００４１】
なお、上述した各実施形態において、初期表示するポインタの位置は、表示部１１１の中心であってもよいし、表示部１１１または外部表示装置２の表示部の四隅のいずれかであってもよいし、表示部１１１または外部表示装置２の表示部の四隅のいずれかを当該基点として、当該基点から所定の座標距離の位置であってもよい。
【００４２】
なお、上述した各実施形態において、例えば、第１の実施形態に係る電子機器１と第２の実施形態に係る電子機器１の様に、第１の実施形態から第３の実施形態までのうち２つ以上の各実施形態を組み合わせてもよい。
【００４３】
なお、上述した各実施形態における電子機器１、１ａの一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子機器１、１ａに内蔵されたコンピュータシステムであって、ＯＳや周辺機器等のハードウェアを含むものとする。
【００４４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
また上記プログラムは、前述した機能の一部を実現するためのものであっても良く、さらに前述した機能をコンピュータシステムにすでに記録されているプログラムとの組み合わせで実現できるものであっても良い。
【００４５】
また、上述した各実施形態における電子機器１、１ａの一部、または全部を、ＬＳＩ（Ｌａｒｇｅ  Ｓｃａｌｅ  Ｉｎｔｅｇｒａｔｉｏｎ）等の集積回路として実現しても良い。電子機器１、１ａの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００４６】
以上、図面を参照してこの発明の各実施形態について詳しく説明してきたが、具体的な構成は上述のものに限られることはなく、この発明の要旨を逸脱しない範囲内において様々な設計変更等をすることが可能である。
【００４７】
（付記１）画像情報を外部表示装置に出力する電子機器であって、前記画像情報を画面に表示する表示部と、前記表示部の画面上における接触を検知して入力操作を受け付ける操作受付部と、前記表示部に表示されるポインタの入力操作を受け付ける入力受付部と、前記操作受付部が受け付けた前記入力操作と前記入力受付部が受け付けた前記ポインタの入力操作における前記ポインタの位置とに基づいて、前記表示部および前記外部表示装置の前記画像情報の表示を制御する入出力情報制御部と、を備えることを特徴とする電子機器。
【００４８】
（付記２）前記入出力情報制御部は、前記入力受付部が受け付けた前記ポインタの入力操作における前記ポインタの位置を基点として、前記操作受付部が受け付けた前記入力操作に基づいて、前記表示部および前記外部表示装置の前記画像情報の表示を制御することを特徴とする（付記１）に記載の電子機器。
【００４９】
（付記３）前記入出力情報制御部は、前記操作受付部が受け付けた前記入力操作の操作方向と当該入力操作の大きさとに基づいて、前記表示部および前記外部表示装置の前記画像情報の表示を制御することを特徴とする（付記１）または（付記２）に記載の電子機器。
【００５０】
（付記４）前記操作受付部が受け付ける前記入力操作は、フリック操作またはスクロール操作の少なくとも一方であることを特徴とする（付記１）から（付記３）のいずれか一項に記載の電子機器。
【００５１】
（付記５）外部表示装置に出力する画像情報を表示部の画面に表示する表示ステップと、前記表示部に表示されるポインタの入力操作を受け付ける入力受付ステップと、前記表示部の画面上における接触を検知して入力操作を受け付ける操作受付部が受け付けた前記入力操作と前記入力受付ステップにおいて受け付けた前記ポインタの入力操作における前記ポインタの位置とに基づいて、前記表示部および前記外部表示装置の前記画像情報の表示を制御する入出力情報制御ステップと、を有することを特徴とする電子機器の制御方法。
【００５２】
（付記６）電子機器のコンピュータに、外部表示装置に出力する画像情報を表示部の画面に表示する表示ステップと、前記表示部に表示されるポインタの入力操作を受け付ける入力受付ステップと、前記表示部の画面上における接触を検知して入力操作を受け付ける操作受付部が受け付けた前記入力操作と前記入力受付ステップにおいて受け付けた前記ポインタの入力操作における前記ポインタの位置とに基づいて、前記表示部および前記外部表示装置の前記画像情報の表示を制御する入出力情報制御ステップと、を実行させるためのプログラム。
【符号の説明】
【００５３】
Ｓ１・・・表示制御システム、１、１ａ・・・電子機器、２・・・外部表示装置、３・・・外部入力装置、１１・・・タッチパネル、１１１・・・表示部、１１２・・・操作受付部、１２・・・制御部、１２１・・・アプリケーション部、１２２・・・オペレーション部、１２２１・・・入出力情報制御部、１２２２・・・通常表示用画像記憶部、１２２３・・・操作判別部、１２２４・・・座標変換部、１２２５・・・入力受付部、１２２６・・・外部装置用画像記憶部、１３・・・画像通信部、１４、１４ａ・・・ポインタ部、１０１・・・ＣＰＵ、１０２・・・記憶媒体、１０３・・・ドライブ部、１０４・・・入力部、１０５・・・出力部、１０６・・・ＲＯＭ、１０７・・・ＲＡＭ、１０８・・・補助記憶部、１０９・・・通信部
【図１】
2015052911.tif 000003
【図２】
2015052911.tif 000004
【図３】
2015052911.tif 000005
【図４】
2015052911.tif 000006